(57)【要約】【課題】奥歯同士の歯間へのフロスの挿入性を高めることが可能な歯間清掃具を提供すること。【解決手段】歯間清掃具（１）であって、フロスと、フロスを保持する本体（３）と、を備え、本体（３）は、ハンドル部（１０）と、一対の支持部（６２）を有するアーム部（６０）と、を有し、アーム部（６０）は、高さ方向の一方側に向かって凸となるように湾曲する形状を有し、ハンドル部（１０）は、指で挟持される被挟持部（２０）と、連結部（３０）と、を有し、高さ方向における被挟持部（２０）の寸法は、高さ方向における連結部（３０）の寸法よりも大きく、アーム部（６０）は、連結部（３０）から離間するにしたがって次第に高さ方向の一方側に向かうように傾斜する背側傾斜部（６４）を有すること。【選択図】図１
2017158943.tif 000002
【特許請求の範囲】
【請求項１】
歯間清掃具であって、
歯間の清掃が可能なフロスと、
前記フロスを保持する本体と、を備え、
前記本体は、
特定方向に延びる形状を有するハンドル部と、
前記特定方向における前記ハンドル部の一端部に接続されており、前記特定方向と直交する幅方向に対向する状態で前記フロスを支持する一対の支持部を有するアーム部と、を有し、
前記アーム部は、前記特定方向及び前記幅方向の双方と直交する高さ方向の一方側に向かって凸となるように湾曲する形状を有し、
前記ハンドル部は、
前記幅方向の両側から指で挟持される被挟持部と、
前記アーム部と前記把持部とを連結する連結部と、を有し、
前記高さ方向における前記被挟持部の寸法は、前記高さ方向における前記連結部の寸法よりも大きく、
前記アーム部は、前記連結部から離間するにしたがって次第に前記高さ方向の一方側に向かうように傾斜する背側傾斜部を有する、歯間清掃具。
【請求項２】
請求項１に記載の歯間清掃具において、
前記被挟持部は、前記高さ方向の一方側に形成されており当該高さ方向の一方側に向かって凸となるように湾曲する形状を有する背側膨出部を有する、歯間清掃具。
【請求項３】
請求項２に記載の歯間清掃具において、
前記特定方向と平行でかつ前記被挟持部を通る基準直線から前記背側膨出部の頂部までの距離よりも、前記基準直線から前記アーム部の頂部までの距離の方が大きい、歯間清掃具。
【請求項４】
請求項２又は３に記載の歯間清掃具において、
前記幅方向についての前記被挟持部の外側面は、前記幅方向について内側に向かって凸となるように湾曲する形状を有し、
前記背側膨出部の頂部は、前記被挟持部のうち前記幅方向の寸法が最も小さな幅狭部よりも前記アーム部側に位置している、歯間清掃具。
【請求項５】
請求項２ないし４のいずれかに記載の歯間清掃具において、
前記ハンドル部は、前記特定方向について前記被挟持部のうち前記連結部側とは反対側の端部に接続されており指を掛けるための指掛け部をさらに有する、歯間清掃具。
【請求項６】
請求項５に記載の歯間清掃具において、
前記被挟持部は、前記高さ方向の他方側に形成されており当該高さ方向の他方側に向かって凸となるように湾曲する形状を有する腹側膨出部を有し、
前記腹側膨出部の頂部は、前記背側膨出部の頂部よりも前記アーム部とは反対側に位置している、歯間清掃具。
【請求項７】
請求項５又は６に記載の歯間清掃具において、
前記連結部は、前記高さ方向の他方側に形成されており当該高さ方向の一方側に向かって凸となるように湾曲する形状を有する腹側凹部を有する、歯間清掃具。
【請求項８】
請求項７に記載の歯間清掃具において、
前記連結部は、前記高さ方向の一方側に形成されており当該高さ方向の他方側に向かって凸となるように湾曲する形状を有する背側凹部を有し、
前記背側凹部の底部は、前記腹側凹部の底部よりも前記アーム部側に位置している、歯間清掃具。
【請求項９】
請求項５ないし８のいずれかに記載の歯間清掃具において、
前記幅方向における前記連結部の寸法及び前記幅方向における前記指掛け部の寸法は、それぞれ前記幅方向における前記被挟持部の寸法よりも大きい、歯間清掃具。
【発明の詳細な説明】
【技術分野】
【０００１】
本発明は、フロスを備える歯間清掃具に関する。
【背景技術】
【０００２】
従来、特に奥歯同士の歯間の清掃に適した歯間清掃具が知られている。例えば、特許文献１には、フロスと、フロスを保持するハンドルと、を備える歯間清掃具が開示されている。ハンドルは、特定方向に沿って延びる形状を有する持ち手としてのグリップ部と、フロスを保持するフロス保持部を有するアーム部と、グリップ部に設けられた第１摘まみ部及び第２摘まみ部と、を有している。フロス保持部は、前記特定方向と直交する幅方向に対向した状態でフロスを保持している。第１摘まみ部は、グリップ部の腹側に接続されており、指で摘ままれることが可能な形状を有している。第２摘まみ部は、グリップ部とアーム部とを接続している。第２摘まみ部の背面は、グリップ部側からアーム部側に向かうにしたがって次第にグリップの腹側に向かうように傾斜する形状を有している。
【０００３】
このような歯間清掃具では、例えば以下のようにしてフロスが奥歯同士の歯間に挿入される。まず、親指と中指とで第１摘まみ部を挟持した状態で人差し指を第２摘まみ部の背面に当接させるようにハンドルを持つ。そして、その状態でフロスを奥歯同士の歯間に位置させた後、人差し指で第２摘まみ部の背面をグリップ部の腹側（歯間側）に向けて押圧する。これにより、フロスが奥歯同士の歯間に挿入される。
【先行技術文献】
【特許文献】
【０００４】
【特許文献１】特開２０１３−２４４１１７号公報
【発明の概要】
【発明が解決しようとする課題】
【０００５】
特許文献１に記載されるような歯間清掃具は、奥歯同士の歯間へのフロスの挿入性に改善の余地がある。具体的に、上記のようにハンドルを持った状態でフロスを前記歯間に挿入させる際には、第１摘まみ部を中心としてハンドルが回転するような力が人差し指により加えられるが、親指及び中指（被挟持部）に対する人差し指の相対位置の確定が困難であるので、人差し指による押圧力の確保が困難である。
【０００６】
本発明の目的は、奥歯同士の歯間へのフロスの挿入性を高めることが可能な歯間清掃具を提供することである。
【課題を解決するための手段】
【０００７】
前記課題を解決するための手段として、本発明は、歯間清掃具であって、歯間の清掃が可能なフロスと、前記フロスを保持する本体と、を備え、前記本体は、特定方向に延びる形状を有するハンドル部と、前記特定方向における前記ハンドル部の一端部に接続されており、前記特定方向と直交する幅方向に対向する状態で前記フロスを支持する一対の支持部を有するアーム部と、を有し、前記アーム部は、前記特定方向及び前記幅方向の双方と直交する高さ方向の一方側に向かって凸となるように湾曲する形状を有し、前記ハンドル部は、前記幅方向の両側から指で挟持される被挟持部と、前記アーム部と前記把持部とを連結する連結部と、を有し、前記高さ方向における前記被挟持部の寸法は、前記高さ方向における前記連結部の寸法よりも大きく、前記アーム部は、前記連結部から離間するにしたがって次第に前記高さ方向の一方側に向かうように傾斜する背側傾斜部を有する、歯間清掃具を提供する。
【０００８】
本歯間清掃具では、アーム部が背側傾斜部を有するので、親指と中指とで被挟持部を挟持するとともに人差し指を連結部に載置する持ち方において人差し指で連結部を高さ方向の他方側に向けて押圧するときに、人差し指が背側傾斜部に接触することによって人差し指のアーム部側への変位が規制される。よって、前記持ち方をしたときの親指、人差し指及び中指の３本の指の位置関係が規定されるので、人差し指による連結部の押圧力が有効に確保される。したがって、奥歯同士の歯間へのフロスの挿入性が高まる。
【０００９】
この場合において、前記被挟持部は、前記高さ方向の一方側に形成されており当該高さ方向の一方側に向かって凸となるように湾曲する形状を有する背側膨出部を有することが好ましい。
【００１０】
このようにすれば、被挟持部の挟持が容易となる。
【００１１】
さらにこの場合において、前記特定方向と平行でかつ前記被挟持部を通る基準直線から前記背側膨出部の頂部までの距離よりも、前記基準直線から前記アーム部の頂部までの距離の方が大きいことが好ましい。
【００１２】
このようにすれば、前記持ち方をしたときの人差し指のアーム部側への変位がより確実に規制される。
【００１３】
また、前記歯間清掃具において、前記幅方向についての前記被挟持部の外側面は、前記幅方向について内側に向かって凸となるように湾曲する形状を有し、前記背側膨出部の頂部は、前記被挟持部のうち前記幅方向の寸法が最も小さな幅狭部よりも前記アーム部側に位置していることが好ましい。
【００１４】
このようにすれば、前記持ち方をしたときに、人差し指が親指及び中指の位置よりもアーム部側に位置しやすくなる。具体的に、被挟持部の外側面は、幅方向について内側に向かって凸となるように湾曲しているので、親指と中指とで被挟持部を挟持するとき、これらの指が被挟持部のうち最も幅方向の寸法が小さな幅狭部に案内される。また、背側膨出部の頂部が幅狭部よりもアーム部側に位置しているので、連結部に載置される人差し指は、幅狭部に位置する親指及び中指よりもアーム部側に位置するように誘導される。よって、人差し指の位置（力点）が幅狭部を挟持する親指及び中指の位置（支点）からアーム部側に離間するので、フロスを歯間に挿入する際の力が確保されやすくなる。
【００１５】
また、前記歯間清掃具において、前記ハンドル部は、前記特定方向について前記被挟持部のうち前記連結部側とは反対側の端部に接続されており指を掛けるための指掛け部をさらに有することが好ましい。
【００１６】
このようにすれば、人差し指及び中指と、親指と、によりハンドル部を高さ方向の両側から挟み込む持ち方での歯間の清掃が容易になる。具体的に、人差し指を連結部のうち高さ方向の一方側の面に載置するとともに中指を指掛け部のうち高さ方向の一方側の面に載置し（人差し指と中指とをハンドル部のうち背側膨出部を挟む位置に載置し）、かつ、親指をハンドル部のうち高さ方向の他方側の面に接触させる持ち方において人差し指で連結部を高さ方向の他方側に向けて押圧することにより、フロスを歯間に挿入する際の力が確保される。よって、この持ち方においても人差し指による連結部の押圧力が有効に確保されるので、奥歯同士の歯間へのフロスの挿入性が高まる。
【００１７】
この場合において、前記被挟持部は、前記高さ方向の他方側に形成されており当該高さ方向の他方側に向かって凸となるように湾曲する形状を有する腹側膨出部を有し、前記腹側膨出部の頂部は、前記背側膨出部の頂部よりも前記アーム部とは反対側に位置していることが好ましい。
【００１８】
この態様では、人差し指及び中指と、親指と、によりハンドル部を高さ方向の両側から挟み込む持ち方でハンドル部を持った際、人差し指の位置（力点）が親指の位置（支点）からアーム部側に離間するので、フロスを歯間に挿入する際の力がより確実に確保される。
【００１９】
また、前記歯間清掃具において、前記連結部は、前記高さ方向の他方側に形成されており当該高さ方向の一方側に向かって凸となるように湾曲する形状を有する腹側凹部を有することが好ましい。
【００２０】
この態様では、人差し指及び中指と、親指と、によりハンドル部を高さ方向の両側から挟み込む持ち方でハンドル部を持った際、親指の位置が腹側凹部に拘束されることによって親指のアーム部側への変位が規制されるので、フロスを歯間に挿入する際の力がより確実に確保される。
【００２１】
この場合において、前記連結部は、前記高さ方向の一方側に形成されており当該高さ方向の他方側に向かって凸となるように湾曲する形状を有する背側凹部を有し、前記背側凹部の底部は、前記腹側凹部の底部よりも前記アーム部側に位置していることが好ましい。
【００２２】
このようにすれば、背側凹部に接触する人差し指の位置（力点）が腹側凹部に接触する親指の位置（支点）からアーム部側に離間するので、人差し指による連結部の押圧力が有効に確保される。
【００２３】
また、前記歯間清掃具において、前記幅方向における前記連結部の寸法及び前記幅方向における前記指掛け部の寸法は、それぞれ前記幅方向における前記被挟持部の寸法よりも大きいことが好ましい。
【００２４】
このようにすれば、人差し指及び中指と、親指と、によりハンドル部を高さ方向の両側から挟み込む持ち方でハンドル部を持つ際、人差し指及び中指が比較的大きな面積で受けられるので、ハンドル部が特定方向と平行な軸回りに回転するのが抑制される。
【発明の効果】
【００２５】
以上のように、本発明によれば、奥歯同士の歯間へのフロスの挿入性を高めることが可能な歯間清掃具を提供することができる。
【図面の簡単な説明】
【００２６】
【図１】本発明の一実施形態の歯間清掃具の斜視図である。
【図２】歯間清掃具の正面図である。
【図３】歯間清掃具の平面図である。
【図４】図３のＩＶ−ＩＶ線での断面図である。
【図５】図３のＶ−Ｖ線での端面図である。
【図６】図３のＶＩ−ＶＩ線での端面図である。
【図７】図３のＶＩＩ−ＶＩＩ線での端面図である。
【図８】第１下顎清掃持ち方を示す図である。
【図９】第２下顎清掃持ち方を示す図である。
【図１０】上顎清掃持ち方を示す図である。
【発明を実施するための形態】
【００２７】
本発明の一実施形態の歯間清掃具１について、図１〜図１０を参照しながら説明する。本歯間清掃具１は、フロス２（図３を参照）と、本体３と、を備えている。
【００２８】
フロス２は、複数の繊維で構成されている。本実施形態では、フロス２は、４本のマルチフィラメントからなる。各マルチフィラメントは、６６本のモノフィラメントが撚り合わされたものである。フロス２は、ポリエチレンで形成されている。
【００２９】
本体３は、フロス２を保持する。本実施形態では、本体３は、合成樹脂からなる。具体的に、前記合成樹脂として、ホモポリマーのポリプロピレンが用いられている。なお、前記合成樹脂として、例えば、ポリスチレン、ポリエチレン、ＡＢＳ、ポリカーボネート、ポリブチレンテレフタレート等の他の樹脂が用いられてもよい。この本体３は、ハンドル部１０と、アーム部６０と、を有している。
【００３０】
ハンドル部１０は、特定方向に沿って延びる形状を有している。以下、特定方向（ハンドル部１０の長手方向）を「軸方向」と称する。また、この歯間清掃具１の使用時の姿勢は問われないが、以下では、図３に示されるように、軸方向と直交する方向を幅方向と定義し、図２に示されるように、軸方向及び幅方向の双方に直交する方向を高さ方向と定義する。
【００３１】
アーム部６０は、軸方向におけるハンドル部１０の一端部に接続されている。アーム部６０は、軸方向と直交する幅方向に対向する状態でフロス２を支持する一対の支持部６２を有する。一対の支持部６２は、アーム部６０の先端部（ハンドル部１０側とは反対側の端部）に設けられている。
【００３２】
アーム部６０は、高さ方向（軸方向及び幅方向の双方と直交する方向）の一方側に向かって凸となるように湾曲する形状を有している。以下、高さ方向の一方側を背側と称し、高さ方向の他方側を腹側と称する。アーム部６０は、ハンドル部１０の軸方向に対して傾斜する背側傾斜部６４を有している。具体的に、背側傾斜部６４は、ハンドル部１０から離間するにしたがって次第にハンドル部１０の中心軸から高さ方向の一方側（背側）に向かって離間するように傾斜する形状を有している。アーム部６０の先端部は、高さ方向と直交する平面と平行な端面を有している。
【００３３】
本実施形態では、高さ方向におけるアーム部６０の先端部の端面及びアーム部６０の頂部６０ａ間の寸法Ｈは、１１．７７ｍｍである。幅方向における一方の支持部６２の外側面及び他方の支持部６２の外側面間の寸法Ｗは、１９．８ｍｍである。アーム部６０を含む本体３の軸方向における寸法Ｌは、８６．７８ｍｍである。なお、背側傾斜部６４には、ゲート跡６８が存在している。
【００３４】
ハンドル部１０は、被挟持部２０と、連結部３０と、指掛け部４０と、を有する。
【００３５】
被挟持部２０は、幅方向の両側から指（例えば、親指と中指）で挟持される部位である。図１及び図３に示されるように、幅方向についての被挟持部２０の外側面は、幅方向について内側に向かって凸となるように湾曲する形状を有している。被挟持部２０の外側面には、滑り止め部が設けられている。
【００３６】
被挟持部２０は、背側膨出部２２と、腹側膨出部２４と、を有する。
【００３７】
背側膨出部２２は、高さ方向の一方側（背側）に形成されており当該一方側（背側）に向かって凸となるように湾曲する形状を有する。図２及び図３に示されるように、背側膨出部２２の頂部２２ａは、被挟持部２０のうち幅方向の寸法が最も小さな幅狭部２１よりもアーム部６０側に位置している。図２に示されるように、軸方向と平行でかつ被挟持部２０を通る基準直線Ａから背側膨出部２２の頂部２２ａまでの距離ｄ１よりも、基準直線Ａからアーム部６０の頂部６０ａまでの距離ｄ２の方が大きい。
【００３８】
腹側膨出部２４は、高さ方向の他方側（腹側）に形成されており当該他方側（腹側）に向かって凸となるように湾曲する形状を有する。腹側膨出部２４の頂部２４ａは、背側膨出部２２の頂部２２ａ及び幅狭部２１よりもアーム部６０側とは反対側に位置している。図２に示されるように、基準直線Ａから腹側膨出部２４の頂部２４ａまでの距離ｄ３よりも、基準直線Ａからアーム部６０の先端部の端面までの距離ｄ４の方が大きい。
【００３９】
図５に示されるように、軸方向と直交する平面での幅狭部２１の断面は、幅方向の寸法ｗ５の方が高さ方向の寸法ｈ５よりも小さな略矩形状である。本実施形態では、幅狭部２１の幅方向の寸法ｗ５は、３．５ｍｍであり、高さ方向の寸法ｈ５は、８．７９ｍｍである。
【００４０】
連結部３０は、アーム部６０と被挟持部２０とを連結する。図１〜図３に示されるように、連結部３０の背面（高さ方向における背側の面）及びアーム部６０の背面、連結部３０の腹面（高さ方向における腹側の面）及びアーム部６０の腹面、並びに、連結部３０の外側面及びアーム部６０の外側面は、それぞれ、滑らかに連続するようにつながっている。同様に、連結部３０の背面及び被挟持部２０の背面、連結部３０の腹面及び被挟持部２０の腹面、並びに、連結部３０の外側面及び被挟持部２０の外側面は、それぞれ、滑らかに連続するようにつながっている。図３に示されるように、連結部３０の外側面は、幅方向について外側に向かって凸となるように湾曲する形状を有している。
【００４１】
連結部３０は、背側凹部３２と、腹側凹部３４と、を有する。
【００４２】
背側凹部３２は、高さ方向の一方側（背側）に形成されており、高さ方向の他方側（腹側）に向かって凸となるように湾曲する形状を有する。図２及び図３に示されるように、背側凹部３２の底部３２ａ（背側凹部３２のうち最も腹側に窪んでいる部位）は、連結部３０のうち幅方向の寸法が最も大きな前側幅広部３１よりもアーム部６０側に位置している。図３に示されるように、幅方向における前側幅広部３１の寸法は、同方向における幅狭部２１の寸法よりも大きい。
【００４３】
腹側凹部３４は、高さ方向の他方側（腹側）に形成されており、高さ方向の一方側（背側）に向かって凸となるように湾曲する形状を有する。図２及び図３に示されるように、腹側凹部３４の底部３４ａ（腹側凹部３４のうち最も背側に窪んでいる部位）は、前側幅広部３１よりもアーム部６０側とは反対側（被挟持部２０側）に位置している。
【００４４】
図６に示されるように、軸方向と直交する平面での前側幅広部３１の断面は、幅方向の寸法ｗ６の方が高さ方向の寸法ｈ６よりも大きな形状である。本実施形態では、前側幅広部３１の幅方向の寸法ｗ６は、７．９９ｍｍであり、高さ方向の寸法ｈ６は、３．１１ｍｍである。
【００４５】
指掛け部４０は、指が掛けられる部位である。指掛け部４０は、軸方向について被挟持部２０のうち連結部３０側とは反対側の端部に接続されている。図１〜図３に示されるように、指掛け部４０の背面及び被挟持部２０の背面、指掛け部４０の腹面及び被挟持部２０の腹面、並びに、指掛け部４０の外側面及び被挟持部２０の外側面は、それぞれ、滑らかに連続するようにつながっている。図３に示されるように、指掛け部４０の外側面は、幅方向について外側に向かって凸となるように湾曲する形状を有している。指掛け部４０のうち幅方向の寸法が最も大きな後側幅広部４１の幅方向における寸法は、同方向における幅狭部２１の寸法よりも大きい。
【００４６】
指掛け部４０は、背側指掛け部４２と、腹側指掛け部４４と、を有する。背側指掛け部４２は、高さ方向の一方側（背側）に形成されており、高さ方向の他方側（腹側）に向かって凸となるように湾曲する形状を有する。腹側指掛け部４４は、高さ方向の他方側（腹側）に形成されており、高さ方向の一方側（背側）に向かって凸となるように湾曲する形状を有する。
【００４７】
図７に示されるように、軸方向と直交する平面での後側幅広部４１の断面は、幅方向の寸法ｗ７の方が高さ方向の寸法ｈ７よりも大きな形状である。本実施形態では、後側幅広部４１の幅方向の寸法ｗ７は、８ｍｍであり、高さ方向の寸法ｈ７は、３．３６ｍｍである。
【００４８】
次に、図８〜図１０を参照しながら、歯間清掃具１の持ち方及び使用方法を説明する。図８〜図１０は、歯間清掃具１の持ち方の例を示している。具体的に、図８は、第１下顎清掃持ち方を示しており、図９は、第２下顎清掃持ち方を示しており、図１０は、上顎清掃持ち方を示している。以下、第１下顎清掃持ち方、第２下顎清掃持ち方及び上顎清掃持ち方の順に説明する。
【００４９】
第１下顎清掃持ち方は、親指ｆ１と中指ｆ３とで被挟持部２０を挟持するとともに人差し指ｆ２を連結部３０の背面に載置する持ち方である。この持ち方は、下顎の奥歯同士の歯間の清掃に適している。具体的に、第１下顎清掃持ち方でのフロス２の歯間への挿入方法は、次のとおりである。まず、第１下顎清掃持ち方でハンドル部１０を持った状態でフロス２を下顎の奥歯同士の歯間上に位置させる。その後、人差し指ｆ２で連結部３０の背側凹部３２を高さ方向の腹側（歯間側）に向けて押圧する。これにより、フロス２が奥歯同士の歯間に挿入される。
【００５０】
ここで、本歯間清掃具１では、アーム部６０が背側傾斜部６４を有するので、この第１下顎清掃持ち方でハンドル部１０を持った状態において人差し指ｆ２で背側凹部３２を押圧するときに、人差し指ｆ２が背側傾斜部６４に接触することによって人差し指ｆ２のアーム部６０側への変位が規制される。よって、この持ち方をしたときの親指ｆ１、人差し指ｆ２及び中指ｆ３の３本の指の位置関係が規定されるので、人差し指ｆ２による連結部３０の押圧力が有効に確保される。したがって、奥歯同士の歯間へのフロス２の挿入性が高まる。なお、人差し指ｆ２で背側凹部３２を押圧しながら、フロス２が歯間の延びる方向に沿って変位するようにハンドル部１０を操作することにより、フロス２の歯間への挿入性がより高まる。
【００５１】
また、被挟持部２０は、背側膨出部２２を有するので、被挟持部２０の挟持が容易となる。
【００５２】
さらに、基準直線Ａから背側膨出部２２の頂部２２ａまでの距離ｄ１よりも、基準直線Ａからアーム部６０の頂部６０ａまでの距離ｄ２の方が大きいので、第１下顎清掃持ち方をしたときの人差し指ｆ２のアーム部６０側への変位がより確実に規制される。
【００５３】
また、背側膨出部２２の頂部２２ａは、幅狭部２１よりもアーム部６０側に位置しているので、第１下顎清掃持ち方でハンドル部１０を持ったときに、人差し指ｆ２が親指ｆ１及び中指ｆ３の位置よりもアーム部６０側に位置しやすくなる。具体的に、被挟持部２０の外側面は、幅方向について内側に向かって凸となるように湾曲しているので、親指ｆ１と中指ｆ３とで被挟持部２０を挟持するとき、これらの指が被挟持部２０のうち最も幅方向の寸法が小さな幅狭部２１に案内される。また、背側膨出部２２の頂部２２ａが幅狭部２１よりもアーム部６０側に位置しているので、連結部３０に載置される人差し指ｆ２は、幅狭部２１に位置する親指ｆ１及び中指ｆ３よりもアーム部６０側に位置するように誘導される。よって、人差し指ｆ２の位置（力点）が幅狭部２１を挟持する親指ｆ１及び中指ｆ３の位置（支点）からアーム部６０側に離間するので、フロス２を歯間に挿入する際の力が確保されやすくなる。
【００５４】
続いて、図９を参照しながら、第２下顎清掃持ち方について説明する。第２下顎清掃持ち方は、人差し指ｆ２及び中指ｆ３と、親指ｆ１と、によりハンドル部１０を高さ方向の両側から挟み込む持ち方である。より具体的には、人差し指ｆ２を連結部３０の背側凹部３２に載置するとともに中指ｆ３を指掛け部４０の背側指掛け部４２に載置し（人差し指ｆ２と中指ｆ３とをハンドル部１０のうち背側膨出部２２を挟む位置に載置し）、かつ、親指ｆ１をハンドル部１０の腹面に接触させる持ち方である。この持ち方も、下顎の奥歯同士の歯間の清掃に適している。
【００５５】
本実施形態の歯間清掃具１では、腹側膨出部２４の頂部２４ａは、背側膨出部２２の頂部２２ａよりもアーム部６０とは反対側に位置している。このため、第２下顎清掃持ち方でハンドル部１０を持った際、人差し指ｆ２の位置（力点）が親指ｆ１の位置（支点）からアーム部６０側に離間するので、フロス２を歯間に挿入する際の力がより確実に確保される。
【００５６】
また、連結部３０が腹側凹部３４を有するので、第２下顎清掃持ち方でハンドル部１０を持った際、親指ｆ１の位置が腹側凹部３４に拘束されることによって親指ｆ１のアーム部６０側及び被挟持部２０側への変位が規制される。よって、フロス２を歯間に挿入する際の力及び当該歯間からフロス２を離脱させる際の力がより確実に確保される。
【００５７】
さらに、背側凹部３２の底部３２ａは、腹側凹部３４の底部３４ａよりもアーム部６０側に位置しているので、背側凹部３２に接触する人差し指ｆ２の位置（力点）が腹側凹部３４に接触する親指ｆ１の位置（支点）からアーム部６０側に離間する。よって、人差し指ｆ２による連結部３０の押圧力が有効に確保される。
【００５８】
また、幅方向における前側幅広部３１の寸法及び幅方向における後側幅広部４１の寸法は、それぞれ幅方向における幅狭部２１の寸法よりも大きいので、第２下顎清掃持ち方でハンドル部１０を持つ際、人差し指ｆ２及び中指ｆ３が比較的大きな面積で受けられる。よって、ハンドル部１０が軸方向と平行な軸回りに回転するのが抑制される。前側幅広部３１の寸法ｗ６に対する寸法ｈ６の割合の上限、及び、後側幅広部４１の寸法ｗ７に対する寸法ｈ７の割合の上限は、ハンドル部１０が軸方向と平行な軸回りに回転するのを抑制するという観点から、８０％以下が好ましく、７０％以下がより好ましく、５０％以下が更に好ましい。また、前側幅広部３１の寸法ｗ６に対する寸法ｈ６の割合の下限、及び、後側幅広部４１の寸法ｗ７に対する寸法ｈ７の割合の下限は、特に限定されないが、通常３０％以上である。
【００５９】
最後に、図１０を参照しながら、上顎清掃持ち方について説明する。上顎清掃持ち方は、人差し指ｆ２及び中指ｆ３と、親指ｆ１と、によりハンドル部１０を高さ方向の両側から挟み込む持ち方である。より具体的には、人差し指ｆ２を連結部３０の腹側凹部３４に載置するとともに中指ｆ３を指掛け部４０の腹側指掛け部４４に載置し（人差し指ｆ２と中指ｆ３とをハンドル部１０のうち腹側膨出部２４を挟む位置に載置し）、かつ、親指ｆ１をハンドル部１０の背側凹部３２に接触させる持ち方である。この持ち方は、上顎の奥歯同士の歯間の清掃に適している。具体的に、上顎清掃持ち方でのフロス２の歯間への挿入方法は、次のとおりである。まず、上顎清掃持ち方でハンドル部１０を持った状態でフロス２を上顎の奥歯同士の歯間下に位置させる。その後、親指ｆ１で連結部３０の背側凹部３２を高さ方向の腹側（歯間側）に向けて押圧する。これにより、フロス２が奥歯同士の歯間に挿入される。
【００６０】
ここで、本歯間清掃具１では、上顎清掃持ち方でハンドル部１０を持った状態において親指ｆ１で背側凹部３２を押圧するときに、親指ｆ１が背側傾斜部６４に接触することによって親指ｆ１のアーム部６０側への変位が規制される。よって、フロス２を上顎の奥歯同士の歯間に挿入する際の力が確実に確保される。
【００６１】
また、背側膨出部２２の頂部２２ａは、腹側膨出部２４の頂部２４ａよりもアーム部６０側に位置しているため、上顎清掃持ち方でハンドル部１０を持った際、親指ｆ１の位置（力点）が人差し指ｆ２の位置（支点）からアーム部６０側に離間する。よって、フロス２を歯間に挿入する際の力がより確実に確保される。加えて、背側凹部３２の底部３２ａが腹側凹部３４の底部３４ａよりもアーム部６０側に位置しているので、この効果がより顕著になる。
【００６２】
さらに、上顎清掃持ち方でハンドル部１０を持った際、人差し指ｆ２の位置が腹側凹部３４に拘束されることにより、人差し指ｆ２のアーム部６０側及び被挟持部２０側への変位が規制される。よって、フロス２を上顎の奥歯同士の歯間に挿入する際の力及び当該歯間から離脱させる際の力がより確実に確保される。
【００６３】
なお、今回開示された上記実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６４】
例えば、連結部３０の背面及び腹面は、平坦であってもよい。
【００６５】
また、背側膨出部２２は、その頂部２２ａが高さ方向について幅狭部２１と重なる形状であってもよい。このことは、腹側膨出部２４についても同様である。
【００６６】
また、基準直線Ａからアーム部６０の頂部６０ａまでの距離ｄ２は、基準直線Ａから背側膨出部２２の頂部２２ａまでの距離ｄ１以下であってもよい。
【００６７】
また、被挟持部２０の外側面は、幅方向の内側に向かって凸となるように湾曲する形状に限られない。例えば、被挟持部２０の外側面は、平坦であってもよい。
【符号の説明】
【００６８】
１    歯間清掃具
２    フロス
３    本体
１０    ハンドル部
２０    被挟持部
２１    幅狭部
２２    背側膨出部
２２ａ  頂部
２４    腹側膨出部
２４ａ  頂部
３０    連結部
３１    前側幅広部
３２    背側凹部
３２ａ  底部
３４    腹側凹部
３４ａ  底部
４０    指掛け部
４１    後側幅広部
４２    背側指掛け部
４４    腹側指掛け部
６０    アーム部
６２    支持部
６４    背側傾斜部
【図１】
2017158943.tif 000003
【図２】
2017158943.tif 000004
【図３】
2017158943.tif 000005
【図４】
2017158943.tif 000006
【図５】
2017158943.tif 000007
【図６】
2017158943.tif 000008
【図７】
2017158943.tif 000009
【図８】
2017158943.tif 000010
【図９】
2017158943.tif 000011
【図１０】
2017158943.tif 000012